(57)【特許請求の範囲】
【請求項１】
対面させたデスク間に自立させて配置可能な照明装置であって、
左右の支柱を上横架材及び下横架材により結合してなる支持フレームと、この支持フレームを床上に自立させるための脚ベースと、前記支持フレームに支持された省電力型の照明器具と、前記支持フレームの左右の支柱間に配された配線ダクトとを具備してなり、
前記上横架材の高さ位置が、標準的なデスクの天板面の高さ位置に対応させて設定してあり、前記照明器具が前記上横架材の上方に配されているとともに、前記配線ダクトが前記上横架材と下横架材との間に配されていることを特徴とする照明装置。
【請求項２】
前記下横架材が、前記支柱の下端部間に架設されたものである請求項１記載の照明装置。
【請求項３】
前記脚ベースが、前記下横架材に設けられたものである請求項１又は２記載の照明装置。
【請求項４】
前記脚ベースが、左右位置を変更可能に取り付けられたものである請求項１、２又は３記載の照明装置。
【請求項５】
前記照明器具が、ＬＥＤ光源を用いたものである請求項１、２、３又は４記載の照明装置。
【請求項６】
前記照明器具が、下方を照らす下向き照明部と、上方を照らす上向き照明部とを具備するものである請求項１、２、３、４又は５記載の照明装置。
【請求項７】
前記配線ダクトが、高さ位置変更可能に設けられたものである請求項１、２、３、４、５又は６記載の照明装置。
【請求項８】
前記配線ダクトが、前記下横架材の上に載設されたものである請求項１、２、３、４、５又は６記載の照明装置。
【請求項９】
前記配線ダクトが、前記デスクの幕板の下縁よりも下に位置させて配設されたものである請求項１、２、３、４、５、６、７又は８記載の照明装置。
【請求項１０】
前記配線ダクトの端部を塞ぐためのカバーを前記支持フレームに着脱可能に取り付けるようにしている請求項１、２、３、４、５、６、７、８又は９記載の照明装置。
【請求項１１】
前記左右の支柱が、上下伸縮可能なものである請求項１、２、３、４、５、６、７、８、９又は１０記載の照明装置。
【発明の詳細な説明】
【技術分野】
【０００１】
本発明は、オフィス等で好適に用いられる照明装置に関する。
【背景技術】
【０００２】
従来から、天井照明とともに或いは天井照明に替えて、デスクの天板上を照明するための照明装置が種々知られている（例えば特許文献１参照）。
【０００３】
ところで、従来の照明装置は、デスクに設けた柱やパネルに専用の取り付け具を介して取り付けられるものがほとんどである。そして、そのような照明装置の配線は、デスクに設けた配線収納用の溝に収納されるようにしているのが一般的であった。ところが、デスクに設けた配線収納用の溝は、デスクで使用されるパソコン等の他の機器の配線をも収納するものであり、照明装置用の配線とその他の機器等の配線とを同じ配線収納用の溝内にまとめて収納することが必要不可欠であり、配線が煩雑なものとなっていた。
【０００４】
また、かかる照明装置はデスクに支持されているものであるため構造的にもデスクと一体不可分なものであった。そのため、照明装置自体はデスクと切り離して使用することができないものとなっていた。
【先行技術文献】
【特許文献】
【０００５】
【特許文献１】特開２００９−１９５５２５号公報
【発明の概要】
【発明が解決しようとする課題】
【０００６】
本発明は、以上のような事情に着目してなされたもので、必ず特定のデスクと組み合わせて使用しなければならないという不自由さ及びデスクと組み合わせた場合に配線が煩雑となるという不具合を抑制又は解消することを目的とする。
【課題を解決するための手段】
【０００７】
すなわち、本発明の照明装置は、対面させたデスク間に自立させて配置可能なものであって、左右の支柱を上横架材及び下横架材により結合してなる支持フレームと、この支持フレームを床上に自立させるための脚ベースと、前記支持フレームに支持された省電力型の照明器具と、前記支持フレームの左右の支柱間に配された配線ダクトとを具備してなり、前記上横架材の高さ位置が、標準的なデスクの天板面の高さ位置に対応させて設定してあり、前記照明器具が前記上横架材の上方に配されているとともに、前記配線ダクトが前記上横架材と下横架材との間に配されていることを特徴とする。
【０００８】
ここで、「標準的なデスクの天板面の高さ位置」とは、床面から７００ｍｍ前後の高さ位置、具体的には、床面から７００ｍｍ〜７４０ｍｍ程度の範囲の高さ位置をいう。
【０００９】
このようなものであれば、装置自体を、対面させたデスク間に自立させて配置可能にしているため、必ず特定のデスクと組み合わせて使用しなければならないという不自由さが抑制されるものとなる。しかも、自立する装置自体に配線ダクトを設けているので、デスクと組み合わせた場合に配線が煩雑となるという不具合を好適に抑制又は解消することができる。
【００１０】
前記支持フレームの構成態様の一つとしては、前記下横架材が、前記支柱の下端部間に架設されたものを挙げることができる。
【００１１】
前記脚ベースが、前記下横架材に設けられたものであれば、支持フレームを安定的に自立させるものとなる。
【００１２】
また、前記脚ベースが、左右位置を変更可能に取り付けられたものであれば、デスクやワゴン等との干渉を好適に回避することができるものとなる。
【００１３】
前記省電力型の前記照明器具としては、ＬＥＤ光源を用いたものを挙げることができ、具体的な構成としては下方を照らす下向き照明部と、上方を照らす上向き照明部とを具備するものを挙げることができる。
【００１４】
前記配線ダクトをデスクの形状に応じて適切な位置に設けられるようにするためには、前記配線ダクトが、高さ位置変更可能に設けられたものであることが好ましい。
【００１５】
前記配線ダクトは、前記下横架材の上に載設されたものを挙げることができる。また、前記配線ダクトが、前記デスクの幕板の下縁よりも下に位置させて配設されたものであれば、配線ダクトとデスクの幕板とが干渉することを回避することができるものとなる。
【００１６】
対面させたデスク間に配置した際の全体的な外観をより良好なものとするには、前記配線ダクトの端部を塞ぐためのカバーを前記支持フレームに着脱可能に取り付けるようにしているものが好ましい。
【００１７】
前記左右の支柱が、上下伸縮可能なものであれば、前記照明器具の高さ位置を容易に変更することができるものとなる。
【発明の効果】
【００１８】
以上説明したように本発明によれば、必ず特定のデスクと組み合わせて使用しなければならないという不自由さ及びデスクと組み合わせた場合に配線が煩雑となるという不具合を抑制又は解消することができるものとなる。
【図面の簡単な説明】
【００１９】
【図１】本発明の一実施形態にかかる照明装置の使用状態を示す斜視図。
【図２】同実施形態の照明装置を示す全体斜視図。
【図３】同実施形態の照明装置を示す正面図。
【図４】同実施形態の照明装置を示す側面図。
【図５】同実施形態の照明装置を示す平面図。
【図６】図３におけるＸ−Ｘ線断面図。
【図７】図３におけるＹ−Ｙ線断面図。
【図８】本発明の他の実施形態にかかる照明装置を示す全体斜視図。
【図９】本発明のさらに他の実施形態にかかる照明装置を示す全体斜視図。
【図１０】本発明のさらに他の実施形態にかかる照明装置を示す全体斜視図。
【発明を実施するための形態】
【００２０】
以下、本発明の一実施形態を、図１〜図７を参照して説明する。
【００２１】
本実施形態に係る照明装置Ｌは、図１に示すように対面させたデスクＤ１、Ｄ２間に自立させて配置可能なものである。詳述すれば、対面配置させた２台のデスクＤ１、Ｄ２を２組左右方向に配列させており、このようにして島形配置された４台のデスクＤ１、Ｄ１、Ｄ２、Ｄ２に対して本照明装置Ｌを１台使用している。本実施形態においては、デスクＤ１、Ｄ２は下肢空間にワゴンＷを収容できるタイプのものである。
【００２２】
この照明装置Ｌは、図１〜図７に示すように、左右の支柱１１、１２を上横架材１３及び下横架材１４により結合してなる支持フレーム１と、この支持フレーム１を床上に自立させるための左右の脚ベース２、２と、前記支持フレーム１に支持された省電力型の照明器具３と、前記支持フレーム１の左右の支柱１１、１２間に配された配線ダクト４とを具備してなる。
【００２３】
支持フレーム１は、角柱パイプ状をなす左右の支柱１１、１２を備えており、これらの支柱１１、１２の中間部間を角柱パイプ状をなす上横架材１３により結合するとともに、支柱１１、１２の下端部間を角柱パイプ状をなす下横架材１４により結合してなる。
【００２４】
前記上横架材１３の高さ位置は、標準的なデスクの天板の上面の高さ位置に対応させて設定してある。本実施形態においては、前記上横架材１３の上面１３ａの高さ位置は、床面から約７００ｍｍに設定されており、この上横架材１３の上面１３ａと前記デスクＤ１、Ｄ２の天板Ｄ１１、Ｄ２１の上面とが略面一をなしている。
【００２５】
左右の脚ベース２、２は、前記下横架材１４に設けられたものである。具体的には、左の脚ベース２は下横架材１４の左端近傍部に直交状態で設けられたもので下横架材１４に対して溶接等により剛結、又は、ボルト等により緊締結合されている。右の脚ベース２は、下横架材１４の右端近傍部に直交状態で設けられたもので下横架材１４に対して溶接等により剛結、又は、ボルト等により緊締結合されている。各脚ベース２、２の先端下面には、アジャスタ２１がそれぞれ設けられている。
【００２６】
照明器具３は、省電力や長期耐用性に優れたＬＥＤ光源３１３ｂ、３２３ｂを用いたもので、下方を照らす下向き照明部３２と、上方を照らす上向き照明部３１とを具備してなるものである。図７に示すように、下向き照明部３２は、前記左右の支柱１１、１２の上端部間に架設され下面に連続した開口部３２１ａを有した器具フレーム３２１と、この器具フレーム３２１内に設けられ下面を前記開口部３２１ａに臨ませた基板３２２と、この基板３２２の下面に設けられた３本の照明ユニット３２３を具備してなる。照明ユニット３２３は、前記基板３２２に取り付けられたベース３２３ａと、このベース３２３ａに保持されたＬＥＤ光源３２３ｂと、このＬＥＤ光源３２３ｂを覆う透明なカバー３２３ｃとを備えている。上向き照明部３１は、前記下向き照明部３２の上に載設され上面に連続した開口部３１１ａを有した器具フレーム３１１と、この器具フレーム３１１内に設けられ上面を前記開口部３１１ａに臨ませた基板３１２と、この基板３１２の上面に設けられた２本の照明ユニット３１３を具備してなる。照明ユニット３１３は、前記基板３１２に取り付けられたベース３１３ａと、このベース３１３ａに保持されたＬＥＤ光源３１３ｂと、このＬＥＤ光源３１３ｂを覆う透明なカバー３１３ｃとを備えている。上向き照明部３１の両端と下向き照明部３２の両端とは、ブラケットｂを介して接続されている。
【００２７】
照明器具３は、上横架材１３の上方に配されている。本実施形態においては、前記照明器具３の上端部分の高さ位置は、床面から約１６１０ｍｍ前後の高さ位置に設定されている。
【００２８】
また、この照明器具３の配線Ｃは、図３に示すように、一方の支柱内、本実施形態では、右の支柱１２内を通して前記配線ダクト４の一端部上に導かれ、この配線ダクト４に案内されて当該配線ダクト４の他端側から外部に導出されるようにしている。この配線Ｃの途中には調光器ｃ１及びＡＣ／ＤＣコンバータｃ２が介設され、これらは配線ダクト４上に載置されている。
【００２９】
なお、照明器具３の照明をＯＮ／ＯＦＦするための切替スイッチ（図示せず）は、右の支柱１２の所要箇所に設けられる。
【００３０】
配線ダクト４は、上方に開放されたチャンネル状のもので、左右の支柱１１、１２間に位置させて下横架材１４上に載設されている。すなわち、本実施形態においては、配線ダクト４は、対面させたデスクＤ１、Ｄ２の幕板Ｄ１２、Ｄ２２の下縁よりも下に位置させている。換言すれば、配線ダクト４は、前記上横架材１３と下横架材１４との間に配されている。また、図１に示すように、必要に応じて、外観を良好なものとするべく、前記配線ダクト４の端部を塞ぐためのカバー５を前記支持フレーム１に着脱可能に取り付けられるようにしている。
【００３１】
このように、本実施形態に係る照明装置Ｌは、特定のデスクＤ１、Ｄ２と一体不可分なものではなく、自立可能であるので、照明装置ＬをデスクＤ１、Ｄ２と切り離して汎用的に使用することができる。
【００３２】
また、照明器具Ｌの配線Ｃを、デスクに設けられている配線収納用の溝等を利用して案内させる必要がないため、配線の複雑化を招かないものとなる。
【００３３】
さらに、上横架材１３の高さ位置をデスクＤ１、Ｄ２の天板Ｄ１１、Ｄ２１付近に設定しているので、対面するデスクＤ１、Ｄ２の天板Ｄ１１、Ｄ２１間の隙間を、外観を損なうことなく塞ぐことが可能になる。
【００３４】
照明器具３が、上向き照明部３１を備えたものとしているので、オフィス等における天井照明を消した状態であっても、この照明装置Ｌを使用することによって照明装置Ｌを使用するエリア全体の雰囲気が損なわれにくい。すなわち、オフィス等の天井照明を消した状態で局所のみ照明を付けると、エリア全体は暗くなる。しかしながら、天井照明をつけていなくても、本実施形態における照明装置Ｌの上向き照明部３１がオフィス等の天井に光を当てることによって間接照明として機能することとなり、全体を明るくすることができる。
【００３５】
配線ダクト４が、デスクＤ１、Ｄ２の幕板Ｄ１２、Ｄ２２の下縁よりも下に位置させて配設されているため、配線ダクト４とデスクＤ１、Ｄ２の幕板Ｄ１２、Ｄ２２とが干渉することがなく、対面するデスクＤ１、Ｄ２の反使用端同士をできるだけ近接させることができる。
【００３６】
なお、本発明は、以上に詳述した実施形態に限られるものではない。
【００３７】
左右の支柱は、本実施形態に示すものに限定されるものではない。ここで、図８に示す照明装置Ｌ１は、他の実施形態に係る左右の支柱Ａ１１、Ａ１２を示したものである。なお、他の実施形態において前述した実施形態と同一又は対応する部分については同一の符号を付して説明を省略する。図８に示すものは、左右の各支柱Ａ１１、Ａ１２を複数の部材で構成することにより上下伸縮可能なものとしている。より具体的には、左の支柱Ａ１１を、パイプ状の下支柱構成部材Ａ１１１と、このパイプ状の下支柱構成部材Ａ１１１の内部に一部を収容可能に形成された上支柱構成部材Ａ１１２とを備えたものとし、右の支柱Ａ１２を、パイプ状の下支柱構成部材Ａ１２１と、このパイプ状の下支柱構成部材Ａ１２１の内部に一部を収容可能に形成された上支柱構成部材Ａ１２２とを備えたものとすることにより、各上支柱構成部材Ａ１１２、Ａ１２２を上下に移動可能にしている。このようにすれば、照明器具の上下位置を変更すること、換言すれば、照明器具の高さ位置を任意に設定することができるため、オフィス環境や使用者の執務目的等に適宜対応することができ、柔軟性に富んだものとなる。なお、支柱は角柱パイプ状のものの他、円筒状のものや楕円筒状のもの等種々のものが考えられる。また、各上支柱構成部材Ａ１１２、Ａ１２２は、ボルトやフック又はキー等、種々のものを使用することにより各下支柱構成部材Ａ１１１、Ａ１２１に上下位置を変更可能に取り付けられるようにしている。
【００３８】
脚ベースの形状や取付の態様は、以上に示したものに限定されず、種々のものを採用することができる。ここで、図９及び図１０に示すものは、他の実施形態に係る脚ベースの例を示したものである。なお、他の実施形態において前述した実施形態と同一又は対応する部分については同一の符号を付して説明を省略する。
【００３９】
図９に示す照明装置Ｌ２は、左右の脚ベースＡ２、Ａ２の床面と接する部位をなす脚本体２２、２２の形状を、扁平な形状としている。このようなものであれば、脚本体２２、２２の高さ寸法を極力小さなものとすることができるので、対面させたデスクＤ１、Ｄ２やワゴンＷ等が、脚ベースＡ２、Ａ２と干渉することを好適に回避することができ、デスクＤ１、Ｄ２やワゴンＷ等の配置の自由度を向上させるものとなる。
【００４０】
図１０に示す照明装置Ｌ３は、左右の脚ベースＡ３、Ａ３が、下横架材１４に対して左右位置を変更可能に取り付けられたものである。このようなものであれば、デスクＤ１、Ｄ２の設置箇所や形状に応じて脚ベースＡ３、Ａ３の左右位置を適宜変更させることができる。このため、デスクＤ１、Ｄ２やワゴンＷ等の配置個所が一般的な脚ベースの取付位置に拘束されることがない。したがって、デスクＤ１、Ｄ２を所望の箇所、例えば、照明装置Ｌ３からの照明光を受けるのに適した箇所等に適切に配置させることができる。
【００４１】
本実施形態では、上横架材並びに下横架材を角柱パイプ状のものとしているが、かかる態様に限定されないのはもちろんのことである。他のものの一例としては、上横架材における上下方向の寸法を大きく設定したものなどが考えられる。例えば、上横架材の上下方向の寸法を大きく設定し、板状のものとすれば、左右の支柱を連結する本来の機能とともに対面配置されるデスクで使用するパネルや仕切り板としての機能をも同時に付与することができるものとなる。また、各横架材の厚み寸法も大小適宜設定できることはもちろんのことである。
【００４２】
本実施形態では、配線ダクトが下横架材の上に載設されたものとしているが、前記配線ダクトが、高さ位置変更可能に設けられたものであってもよい。
【００４３】
また、本実施形態では、対面させた２台のデスクを２組（すなわち４台のデスク）使用している態様をなしているが、当然にこのような態様に限定されるものではなく、対面させた２台のデスクを１組だけ使用した態様でもよいし、３組以上使用した態様でも本発明を適用することができる。
【００４４】
また、配線ダクトは、支持フレームに複数有していてもよい。特に、デスクが配線収納用の溝を有していない場合においては、照明装置の配線ダクトを利用することができるため特に有効である。上下の配線ダクトを具備するものであれば、例えば、下の配線ダクトを照明器具用、上の配線ダクトをパソコン等用として適宜使い分けること等ができるものとなる。
【００４５】
配線ダクトの形状は、本実施形態に示されるもの以外であっても配線を受けることができるものであれば、種々の形状を採用することができるのはもちろんのことである。
【００４６】
その他、各部の具体的構成についても上記実施形態に限られるものではなく、本発明の趣旨を逸脱しない範囲で種々変形が可能である。
【符号の説明】
【００４７】
１…支持フレーム
２…脚ベース
３…照明器具
４…配線ダクト
５…カバー
Ｄ１…デスク
Ｄ２…デスク
【図１】
0005428051.tif 000002
【図２】
0005428051.tif 000003
【図３】
0005428051.tif 000004
【図４】
0005428051.tif 000005
【図５】
0005428051.tif 000006
【図６】
0005428051.tif 000007
【図７】
0005428051.tif 000008
【図８】
0005428051.tif 000009
【図９】
0005428051.tif 000010
【図１０】
0005428051.tif 000011